(57)【要約】【課題】フィルタが目詰まりした場合、強制的に光源ランプを消灯させる前に、応急的な対策を取ることで、利便性を向上させるプロジェクタを提供すること。【解決手段】塵埃の筐体５内部への進入を抑制する第１フィルタ４０を有し、筐体５外部から空気を吸気する第１吸気口３０と、同じく空気を吸気する第２吸気口３１と、筐体５内部に収容する光学部材を冷却するため、筐体５外部から吸気した空気を吐出する第１冷却ファン２２および第２冷却ファン２３と、第２吸気口３１を開閉する開閉蓋６０と、開閉蓋６０を開閉動作させる開閉駆動部２５と、第１フィルタ４０の目詰まりを検出する外部温度検出部２６および内部温度検出部２７と、外部温度検出部２６および内部温度検出部２７により第１フィルタ４０の目詰まりを検出した場合、開閉駆動部２５を駆動させて開閉蓋６０を開放動作させ、第２吸気口３１を開放する制御を行なう冷却制御部２０と、を備える。【選択図】図１
2009192878.tif 000002
【特許請求の範囲】
【請求項１】
塵埃の筐体内部への進入を抑制する第１フィルタを有し、前記筐体の外部から空気を吸気する第１吸気口と、
前記第１吸気口とは別に設けられ、前記筐体の外部から空気を吸気する第２吸気口と、
前記筐体の外部から吸気した空気を吐出し、前記筐体の内部に収容する光学部材を冷却する冷却ファンと、
前記第２吸気口を開閉する開閉部と、
前記開閉部を開閉動作させる駆動部と、
前記第１フィルタの目詰まりを検出する検出部と、
前記検出部により前記第１フィルタの目詰まりを検出した場合、前記駆動部を駆動させて前記開閉部を開放動作させ、前記第２吸気口を開放する制御を行なう冷却制御部と、を備えることを特徴とするプロジェクタ。
【請求項２】
請求項１に記載のプロジェクタであって、
前記第２吸気口は、塵埃の前記筐体内部への進入を抑制する第２フィルタを有していることを特徴とするプロジェクタ。
【請求項３】
請求項１または請求項２に記載のプロジェクタであって、
前記検出部は、前記筐体外部の温度を検出する外部温度検出部と、前記筐体内部の温度を検出する内部温度検出部と、を有し、
前記冷却制御部は、前記外部温度検出部で検出された外部温度と、前記内部温度検出部で検出された内部温度との差が所定値以上となった場合に、前記第１フィルタの目詰まりとして検出することを特徴とするプロジェクタ。
【請求項４】
請求項１または請求項２に記載のプロジェクタであって、
前記検出部は、前記筐体内部の風量を検出する風量検出部を有し、
前記冷却制御部は、前記風量検出部で検出された風量が、所定値以下となった場合に、前記第１フィルタの目詰まりとして検出することを特徴とするプロジェクタ。
【請求項５】
請求項１〜請求項４のいずれか一項に記載のプロジェクタであって、
前記駆動部は、モータまたはソレノイドを有していることを特徴とするプロジェクタ。
【請求項６】
請求項１〜請求項５のいずれか一項に記載のプロジェクタであって、
前記第１吸気口および前記第２吸気口と、前記冷却ファンとの間には、吸気した前記空気を流通するダクトが設置されていることを特徴とするプロジェクタ。
【請求項７】
請求項１〜請求項６のいずれか一項に記載のプロジェクタであって、
更に、表示部を有し、
前記冷却制御部は、前記第１フィルタの目詰まりを検出した場合に、前記表示部に、前記目詰まりであることを表示させることを特徴とするプロジェクタ。
【請求項８】
請求項７に記載のプロジェクタであって、
前記表示部は、投写対象面に投写される光学像に重畳させて表示を行なうことを特徴とするプロジェクタ。
【請求項９】
請求項７に記載のプロジェクタであって、
前記表示部は、前記筐体の外面に設置されるインジケータを点灯して表示を行なうことを特徴とするプロジェクタ。
【発明の詳細な説明】
【技術分野】
【０００１】
本発明は、プロジェクタに関する。
【背景技術】
【０００２】
従来、プロジェクタの吸気口に設置される防塵用のフィルタの目詰まりなどにより、プロジェクタの内部温度が異常に高温となった場合には、制御部により、点灯している光源ランプを強制的に消灯させることにより、内部に設置される構成部材の故障の原因や、光学部品の早期劣化の原因となることを防止していた。
【０００３】
特許文献１には、例えば、空気穴が目詰まりした時などに温度センサが所定値を超える前に目詰まりを検知し、プロジェクタ装置の動作を終了させることを可能にする冷却媒体目詰まり監視装置が開示されている。
【０００４】
【特許文献１】特開２００６−１５６５６９号公報
【発明の開示】
【発明が解決しようとする課題】
【０００５】
従来のように、プロジェクタの内部温度が異常に高温となった場合に、点灯している光源ランプを強制的に消灯させた場合には、プロジェクタを現在使用して会議などを行なっている場合、主催者および出席者を驚かせ、かつ、会議自体を中断させてしまうことになる。従って、プロジェクタの内部温度が異常に高温となった場合（フィルタが目詰まりした場合）、強制的に光源ランプを消灯させる前に、プロジェクタにおいて何らかの応急的な対策を取り、プロジェクタの利便性を向上させることが課題となっていた。
【課題を解決するための手段】
【０００６】
本発明は、上述した課題の少なくとも一部を解決するためになされたものであり、以下の形態または適用例として実現することが可能である。
【０００７】
（適用例１）本適用例に係るプロジェクタは、（ａ）塵埃の筐体内部への進入を抑制する第１フィルタを有し、筐体の外部から空気を吸気する第１吸気口と、（ｂ）第１吸気口とは別に設けられ、筐体の外部から空気を吸気する第２吸気口と、（ｃ）筐体の外部から吸気した空気を吐出し、筐体の内部に収容する光学部材を冷却する冷却ファンと、（ｄ）第２吸気口を開閉する開閉部と、（ｅ）開閉部を開閉動作させる駆動部と、（ｆ）第１フィルタの目詰まりを検出する検出部と、（ｇ）検出部により第１フィルタの目詰まりを検出した場合、駆動部を駆動させて開閉部を開放動作させ、第２吸気口を開放する制御を行なう冷却制御部と、を備えることを特徴とする。
【０００８】
上記プロジェクタでは、第１吸気口の有する第１フィルタの目詰まりを検出部により検出した場合、冷却制御部は、駆動部を駆動させて開閉部を開放動作させることにより、第２吸気口を開放する。そして、冷却ファンは、第２吸気口が開放されることにより、第１吸気口とは別に備える第２吸気口を使用して、筐体の外部から空気を吸気して吐出することで、筐体の内部に収容する光学部材を冷却する。これにより、第１フィルタの目詰まりを検出しない場合には、第１吸気口を使用して光学部材の冷却を行ない、第１フィルタの目詰まりを検出した場合には、第２吸気口を使用して光学部材の応急的な冷却を行なうことで、光源ランプを強制的に消灯させる前に、応急的に光源ランプの点灯を維持することができ、プロジェクタの利便性を向上させることができる。
【０００９】
（適用例２）上記のプロジェクタであって、第２吸気口は、塵埃の筐体内部への進入を抑制する第２フィルタを有していることが好ましい。
【００１０】
上記プロジェクタでは、第２吸気口は、塵埃の筐体内部への進入を抑制する第２フィルタを有するため、第２吸気口を介して筐体の外部から空気を吸気する際、筐体内部に設置される光学部材などへの塵埃の付着などを低減することができる。
【００１１】
（適用例３）上記のプロジェクタであって、検出部は、筐体外部の温度を検出する外部温度検出部と、筐体内部の温度を検出する内部温度検出部と、を有し、冷却制御部は、外部温度検出部で検出された外部温度と、内部温度検出部で検出された内部温度との差が所定値以上となった場合に、第１フィルタの目詰まりとして検出することが好ましい。
【００１２】
上記プロジェクタでは、検出部は、外部温度検出部と内部温度検出部とを有しており、冷却制御部は、外部温度検出部で検出された外部温度と、内部温度検出部で検出された内部温度との差が所定値以上となった場合に、第１フィルタの目詰まりとして検出する。これにより、目詰まりを検出する検出部を簡易に構成することができる。
【００１３】
（適用例４）上記のプロジェクタであって、検出部は、筐体内部の風量を検出する風量検出部を有し、冷却制御部は、風量検出部で検出された風量が、所定値以下となった場合に、第１フィルタの目詰まりとして検出することが好ましい。
【００１４】
上記プロジェクタでは、検出部は、風量検出部を有しており、冷却制御部は、風量検出部で検出された風量が、所定値以下となった場合に、第１フィルタの目詰まりとして検出する。これにより、上記と同様に、目詰まりを検出する検出部を簡易に構成することができる。
【００１５】
（適用例５）上記のプロジェクタであって、駆動部は、モータまたはソレノイドを有していることが好ましい。
【００１６】
上記プロジェクタでは、駆動部は、モータまたはソレノイドを有して構成されるため、簡易な構成で駆動部を構成できる。
【００１７】
（適用例６）上記のプロジェクタであって、第１吸気口および第２吸気口と、冷却ファンとの間には、吸気した空気を流通するダクトが設置されていることが好ましい。
【００１８】
上記プロジェクタでは、ダクトが、第１吸気口および第２吸気口と、冷却ファンとの間に設置され、吸気した空気を流通することにより、吸気した空気の冷却ファンまでの損失を抑制して冷却ファンに流通することができ、筐体の内部に収容する光学部材を効率的に冷却することができる。
【００１９】
（適用例７）上記のプロジェクタであって、更に、表示部を有し、冷却制御部は、第１フィルタの目詰まりを検出した場合に、表示部に、目詰まりであることを表示させることが好ましい。
【００２０】
上記プロジェクタでは、表示部を有し、冷却制御部は、第１フィルタの目詰まりを検出した場合に、表示部に目詰まりであることを表示させる。これにより、光源ランプを強制的に消灯させる前に、応急的に光源ランプの点灯を維持してプロジェクタを使用している場合に、目詰まりであることを使用者に知らせることができる。
【００２１】
（適用例８）上記のプロジェクタであって、表示部は、投写対象面に投写される光学像に重畳させて表示を行なうことが好ましい。
【００２２】
上記プロジェクタでは、表示部は、投写対象面に投写している光学像（画像）に重畳させて表示（投写）を行なうことにより、使用者に目詰まりであることを効果的に知らせることができる。
【００２３】
（適用例９）上記のプロジェクタであって、表示部は、筐体の外面に設置されるインジケータを点灯して表示を行なうことが好ましい。
【００２４】
上記プロジェクタでは、表示部は、プロジェクタの筐体の外面に設置されるインジケータを点灯して表示を行なうことにより、使用者に目詰まりであることを効果的に知らせることができる。
【発明を実施するための最良の形態】
【００２５】
以下、実施形態を図面に基づいて説明する。
（第１実施形態）
【００２６】
図１は、第１実施形態に係るプロジェクタの回路系および光学系のブロック図である。図１を参照して、本実施形態のプロジェクタ１の回路系および光学系５０の、構成および動作を説明する。
【００２７】
プロジェクタ１は、光源装置（光源ランプ５１）から射出された光束を、画像情報に応じて光変調装置（液晶パネル５２）で変調して光学像を形成し、その光学像を投写光学装置（投写レンズ５３）を介し、画像（例えば、カラー画像）として、投写対象面としてのスクリーン５００などに投写するものである。なお、上述した、光源ランプ５１、液晶パネル５２、および投写レンズ５３などを有してプロジェクタ１の光学系５０が構成されている。
【００２８】
最初に、プロジェクタ１の回路系の構成に関して説明する。
本実施形態のプロジェクタ１は、Ａ／Ｄコンバータ１１、ビデオデコーダ１２、画像処理部１３、画像補正部１４、ＯＳＤ処理部１５、液晶パネル駆動部１６、ランプ駆動部１７、電源部１８などから構成される。また、プロジェクタ１は、冷却制御部２０、冷却ファン駆動部２１、第１冷却ファン２２、第２冷却ファン２３、排気ファン２４、開閉駆動部２５、外部温度検出部２６、内部温度検出部２７、インジケータ部２８などから構成される。
【００２９】
また、プロジェクタ１は、制御部１０により統括制御されている。そして、制御部１０は、図示省略するＣＰＵ（Central Processing Unit）で構成される。このＣＰＵは、ＲＯＭ（Read Only Memory）およびＲＡＭ（Random Access Memory）を有して構成される。なお、上述した回路系の構成部や光学系５０は、プロジェクタ１の外装を構成する筐体５の内部に収容されている。
【００３０】
冷却制御部２０は、プロジェクタ１内部の冷却動作に関する制御を行なっている。また、冷却制御部２０は、制御部１０と同様に構成されている。なお、冷却制御部２０は、制御部１０の中の一部の機能として構成されていてもよい。
【００３１】
冷却ファン駆動部２１は、冷却制御部２０からの指示により、本実施形態では、３つの冷却用のファンとなる第１冷却ファン２２、第２冷却ファン２３、および排気ファン２４に対し、それぞれ駆動電圧を出力して各ファンを駆動する。なお、第１冷却ファン２２は、液晶パネル５２および液晶パネル５２近傍に設置される偏光板（図示省略）を含めて、それぞれの光学素子で発生する熱を冷却している。また、第２冷却ファン２３は、光源ランプ５１の発光により発生する熱を冷却している。そして、排気ファン２４は、発熱する光学素子の熱が伝達され温まった筐体５内部の空気を含め、筐体５外部に排気している。
【００３２】
また、筐体５には、筐体５外部から空気（外気）を吸気する第１吸気口３０と第２吸気口３１、および、筐体５内部の温まった空気を筐体５外部に排気する排気口３２が設置されている。なお、第１吸気口３０には、筐体５内部への塵埃の進入を抑制する第１フィルタ４０が設置されている。また、第２吸気口３１には、同様に、筐体５内部への塵埃の進入を抑制する第２フィルタ４１が設置されている。そして、第２吸気口３１近傍の筐体５内部には、開閉部としての開閉蓋６０が支軸６１を中心に回動することにより、第２吸気口３１に対して開閉自在に設置され、第２吸気口３１からの吸気を制御している。
【００３３】
また、筐体５内部で、第１吸気口３０および第２吸気口３１と、第１冷却ファン２２および第２冷却ファン２３との間には、ダクト７０が設置されている。ダクト７０は、曲折した管状に形成され、第１吸気口３０または第２吸気口３１を介して吸気した空気を、効率的に第１冷却ファン２２および第２冷却ファン２３に流動している。
【００３４】
第１冷却ファン２２および第２冷却ファン２３は、詳細は後述するが、通常状態においては、開閉蓋６０が第２吸気口３１を閉塞するため、第１吸気口３０を介して筐体５外部から空気を吸気する。しかし、第１フィルタ４０に目詰まりが発生した場合には、詳細は後述するが、開閉蓋６０が第２吸気口３１を開放するため、第２吸気口３１を介して筐体５外部から空気を吸気する。なお、排気ファン２４は、筐体５内部の温まった空気を排気口３２を介して筐体５外部に排気している。
【００３５】
開閉蓋６０は、駆動部としての開閉駆動部２５により開閉動作を行ない、第２吸気口３１を開閉する。また、開閉駆動部２５は、本実施形態では、モータおよびギヤ輪列（図示省略）を有して構成されており、冷却制御部２０の指示により、モータおよびギヤ輪列が駆動し、ギヤ輪列に噛み合う開閉蓋６０が、支軸６１を中心として回動し、第２吸気口３１に対して開閉動作を行なう。
【００３６】
次に、プロジェクタ１の回路構成部の動作説明を簡潔に行なう。
Ａ／Ｄコンバータ１１は、ＰＣ画像信号入力端子１１ａに入力したＰＣ画像データをデジタル信号に変換し、画像処理部１３に出力する。ビデオデコーダ１２は、ビデオ信号入力端子１２ａに入力した動画像データをデジタル信号に変換した後にＲ・Ｇ・Ｂの色信号に分離し、画像処理部１３に出力する。
【００３７】
画像処理部１３は、制御部１０の指示に基づいて、Ａ／Ｄコンバータ１１またはビデオデコーダ１２から入力したＰＣ画像データまたは動画像データ（以降、ＰＣ画像データまたは動画像データを画像データと称す）に、フレームレート変換およびスケーリング処理などを行なう。そして、画像処理部１３は、フレームレート変換、スケーリング処理などを行なった画像データを画像補正部１４に出力する。
【００３８】
画像補正部１４は、制御部１０の指示に基づいて、入力した画像データの内容に基づいて、画像データにブライトネス調整、コントラスト調整、ガンマ補正処理などを施す。このように加工された画像データは、ＯＳＤ処理部１５に出力される。
【００３９】
ＯＳＤ処理部１５は、制御部１０の指示に基づいて、メニュー画面やメッセージ画面などのＯＳＤ（On Screen Display）画像を、画像補正部１４から入力される画像データに重畳する処理を行なう。ＯＳＤ処理部１５は、ＯＳＤメモリ（図示省略）を備えており、ＯＳＤ画像を形成するための図形やフォントなどを表すＯＳＤ画像データを記憶している。制御部１０が、ＯＳＤ画像の重畳を指示すると、ＯＳＤ処理部１５は、必要なＯＳＤ画像データをＯＳＤメモリから読み出し、入力画像の所定の位置にＯＳＤ画像が重畳されるように、画像補正部１４から入力される画像データにこのＯＳＤ画像データを合成する。ＯＳＤ画像データが合成された画像データは、投写用映像信号として液晶パネル駆動部１６に出力される。なお、制御部１０からＯＳＤ画像を重畳する旨の指示がない場合には、ＯＳＤ処理部１５は、画像補正部１４から出力される画像データを、そのまま投写用映像信号として液晶パネル駆動部１６に出力する。
液晶パネル駆動部１６は、ＯＳＤ処理部１５から入力した投写用映像信号をそれぞれの液晶パネル５２に出力し駆動する。
【００４０】
ランプ駆動部１７は、制御部１０の制御信号により、光源ランプ５１の点灯・消灯などの動作を実行させる。また、電源部１８は、プロジェクタ１の外部の商用電源などから電源ケーブル（図示省略）を介して交流電力を導き、内蔵するＡＣ／ＤＣ変換部（図示省略）で変圧・整流・平滑などの処理を行ない、安定化させた直流電圧をプロジェクタ１を構成する各部に供給する。
【００４１】
検出部としての外部温度検出部２６は、サーミスタで構成されている。外部温度検出部２６は、筐体５の外面に設置され、プロジェクタ１を取り巻く周囲の外部温度（外気温度）を検出する。なお、外部温度検出部２６は、筐体５内部であっても、正確に外気温度を検出できる部位に設置されていればよく、例えば、第１吸気口３０近傍に設置されていてもよい。
【００４２】
同様に、検出部としての内部温度検出部２７もサーミスタで構成されている。内部温度検出部２７は、光源ランプ５１の近傍および液晶パネル５２の近傍にそれぞれ１つ設置され、光源ランプ５１の近傍および液晶パネル５２の近傍の温度を、光源ランプ５１の温度および液晶パネル５２の温度として、代用して検出する。また、内部温度検出部２７のサーミスタで検出された温度をプロジェクタ１の内部（筐体５内部）温度としている。従って、本実施形態での内部温度検出部２７で検出する内部温度は、上述したように、光源ランプ温度および液晶パネル温度となる。なお、内部温度検出部２７は、筐体５内部で、光源ランプ５１や液晶パネル５２の近傍以外の部位にサーミスタを更に追加して設置し、設置した部位の温度を検出してもよい。
【００４３】
表示部としてのインジケータ部２８は、ＬＥＤ（発光ダイオード）素子（図示省略）で構成され、筐体５外面に設置されている。そして、冷却制御部２０が、第１フィルタ４０の目詰まりを検出した場合（後述する応急状態となった場合）、冷却制御部２０の指示により、目詰まりとなったことを、ＬＥＤ素子を所定の点灯パターンに基づいて点灯させることにより表示する。
【００４４】
また、冷却制御部２０が、第１フィルタ４０の目詰まりを検出した場合（後述する応急状態となった場合）、冷却制御部２０の指示により、制御部１０は、ＯＳＤ処理部１５に対して、画像補正部１４から入力される画像データに、目詰まりであることを知らせるための表示を重畳する処理を行なう。詳細には、ＯＳＤ処理部１５は、ＯＳＤメモリから、応急状態となった場合に表示するデータ（第１フィルタ４０に目詰まりが発生したことや、応急状態であることや、所定時間経過後に光源ランプ５１を消灯させることや、第１フィルタ４０の掃除や交換などを知らせること、などの内容の図形やフォントを表すＯＳＤ画像データ）を読み出す。そして、ＯＳＤ処理部１５は、入力画像の所定の位置に読み出したＯＳＤ画像が重畳されるように画像補正部１４から入力される画像データに合成する。この動作により、応急状態であることを、投写対象面（本実施形態ではスクリーン５００）に投写される光学像に重畳させて表示を行なっている。
【００４５】
冷却制御部２０は、上述したように、プロジェクタ１内部の冷却動作に関する制御を行なっている。詳細には、冷却制御部２０は、外部温度検出部２６で検出された外気温度と、内部温度検出部２７で検出された光源ランプ温度および液晶パネル温度と、のそれぞれの温度差に基づいて比較判断し、光源ランプ温度および液晶パネル温度が適正な温度範囲内となるように制御する。そして、冷却制御部２０は、初期的に設定される適正な温度範囲より高くなったと判断した場合には、冷却ファン駆動部２１を駆動し、対応する第１冷却ファン２２または第２冷却ファン２３の駆動電圧を上げる制御を行ない、高くなった光源ランプ温度または液晶パネル温度を適正な温度範囲内に入れる。
【００４６】
なお、本実施形態では、冷却制御部２０が、光源ランプ温度および液晶パネル温度が適正な温度範囲内であると判断している状態を通常状態と呼称する。そして、通常状態では、開閉蓋６０は、冷却制御部２０および開閉駆動部２５により、閉塞動作を維持しており、第２吸気口３１を閉塞しているため、第１冷却ファン２２および第２冷却ファン２３は、第１吸気口３０を介して外気を吸気している。
【００４７】
また、冷却制御部２０は、上記制御を行なっても、光源ランプ温度または液晶パネル温度が適正な温度範囲内とならず、初期的に設定される所定値以上となったと判断した場合には、開閉駆動部２５を駆動する。そして、開閉駆動部２５は、モータおよびギヤ輪列を駆動し、開閉蓋６０が開放動作を行ない、第２吸気口３１を開放させる。本実施形態では、冷却制御部２０が、光源ランプ温度または液晶パネル温度が適正な温度範囲内とならず、初期的に設定される所定値以上となったと判断した場合、第１フィルタ４０の目詰まりと判断する。なお、このような状態となる要因は、フィルタの目詰まり以外に、回路構成部の異常や、冷却ファンの異常や、使用環境（例えば高地での使用）などあるが、多くはフィルタの目詰まりである。また、本実施形態では、冷却制御部２０が第１フィルタ４０の目詰まりと判断し、上述した制御を行なう状態に移行した場合、これ以降の状態を応急状態と呼称する。
【００４８】
応急状態において、冷却ファン駆動部２１は、本実施形態では、第１冷却ファン２２、第２冷却ファン２３、および排気ファン２４を最大電圧で駆動する。従って、第１冷却ファン２２、第２冷却ファン２３、および排気ファン２４は、それぞれ最大の回転数で回転することになる。また、応急状態に移行した時点から、設定される所定時間を経過した場合に、制御部１０は、光源ランプ５１を消灯して応急状態を終了させる。その後は、本実施形態では、プロジェクタ１は、サブ電源（図示省略）により動作し、次の信号入力を待つ状態（いわゆるスタンバイ状態）に移行する。これにより、応急状態に移行した時点から、設定される所定時間までは、光源ランプ５１を消灯せずに点灯を維持するため、プロジェクタ１を使用することができる。
【００４９】
次に、プロジェクタ１の光学系５０の構成および動作を簡潔に説明する。
光学系５０は、光源装置と、照明光学系と、光変調装置と、色合成光学系と、投写光学装置とを有して構成されている。
【００５０】
光源装置は、本実施形態では、放電式の光源ランプ５１を用いており、発光管で発光した光束をリフレクタで反射させて平行光として、次の照明光学系に射出する。なお、光源ランプ５１は、制御部１０からの制御信号を受信したランプ駆動部１７により駆動される。また、本実施形態の光源ランプ５１は、超高圧水銀ランプを使用している。
【００５１】
照明光学系（図示省略）は、光源装置（光源ランプ５１）から射出された光束の照度を均一化し、各色光（赤色光、緑色光および青色光）に分離する。
光変調装置は、本実施形態では、液晶パネル５２を用いており、照明光学系で分離された各色光の光束に対して投写用映像信号に応じて変調して光学像を形成する。なお、液晶パネル５２は、前述した液晶パネル駆動部１６により駆動される。また、本実施形態の液晶パネル５２は、各色光に対応させた３つの透過型の液晶パネル５２を使用している。
【００５２】
色合成光学系（図示省略）は、照明光学系で色分離され光変調装置（液晶パネル５２）で変調された各色光の光学像を合成する。
投写光学装置は、本実施形態では、投写レンズ５３を用いており、各種レンズ群で構成され、色合成光学系で合成された光学像を投写する。上記光学系５０の構成および動作により、光学像を画像としてプロジェクタ１の外部に設置される投写対象面としてのスクリーン５００などに投写する。
【００５３】
図２は、開閉部が第２吸気口を閉塞している状態を示す概略図である。図３は、開閉部が第２吸気口を開放している状態を示す概略図である。また、図２は、通常状態における開閉蓋６０および第１冷却ファン２２、第２冷却ファン２３の動作を示している。また、図３は、応急状態における開閉蓋６０および第１冷却ファン２２、第２冷却ファン２３の動作を示している。図２、図３を参照して、開閉部としての開閉蓋６０の動作、および第１冷却ファン２２、第２冷却ファン２３の動作を説明する。
【００５４】
図２、図３に示すように、プロジェクタ１の筐体５（本実施形態では筐体５の側面）には、通常状態において使用する第１吸気口３０が形成されている。また、第１吸気口３０には、外気に含まれる塵埃の筐体５内部への進入を抑制する第１フィルタ４０が設置されている。また、第１フィルタ４０は、ウレタンフォームなどで形成されたフィルタ本体４０１と、フィルタ本体４０１を支持固定するフィルタ枠４０２とから構成されている。なお、第１フィルタ４０は、交換可能に設置されている。そして、フィルタ本体４０１が目詰まりを起こした場合には、フィルタ本体４０１部分を掃除することや、目詰まりした第１フィルタ４０を取り外して新しい第１フィルタ４０と交換することが可能となっている。
【００５５】
また、プロジェクタ１の筐体５（本実施形態では筐体５の側面）の第１吸気口３０の近傍には、応急状態において使用する第２吸気口３１が形成されている。なお、この第２吸気口３１は、第１吸気口３０の開口面積に比べて、小さい開口面積で形成されている。また、第２吸気口３１には、外気に含まれる塵埃の筐体５内部への進入を抑制する第２フィルタ４１が設置されている。また、第２フィルタ４１も第１フィルタ４０と同様に、ウレタンフォームなどで形成されたフィルタ本体４１１と、フィルタ本体４１１を支持固定するフィルタ枠４１２とから構成されている。なお、第２フィルタ４１も第１フィルタ４０と同様に、交換可能に設置されている。そして、同様に、フィルタ本体４１１が目詰まりを起こした場合には、フィルタ本体４１１部分を掃除することや、目詰まった第２フィルタ４１を取り外して新しい第２フィルタ４１と交換することが可能となっている。
【００５６】
ダクト７０は、上述したように、曲折した管状に形成され、第１吸気口３０および第２吸気口３１と、第１冷却ファン２２および第２冷却ファン２３との間を結ぶ部材である。詳細には、ダクト７０は、第１吸気口３０を覆う形態となる開口部７１と、第２吸気口３１を覆う形態となる開口部７２とを有している。そして、ダクト７０は、２つの開口部７１，７２を連結し、筐体５内部の構成部（図示省略）を避けるように曲折し、最終的には、第１冷却ファン２２に接続する開口部７３と、第２冷却ファン２３に接続する開口部７４とに分岐させた形態として構成されている。そして、ダクト７０は、第１吸気口３０または第２吸気口３１を介して吸気した空気（外気）を、効率的に第１冷却ファン２２および第２冷却ファン２３に流動している。なお、図２、図３では、ダクト７０の曲折状態は省略して図示している。
【００５７】
ここで、図２を参照して、通常状態での開閉蓋６０の動作、および第１冷却ファン２２、第２冷却ファン２３の動作を説明する。
通常状態においては、開閉蓋６０は、開閉駆動部２５により、第２吸気口３１の開口面積の全領域を覆う形態で第２吸気口３１を閉塞している。従って、冷却ファン駆動部２１により、第１冷却ファン２２および第２冷却ファン２３が駆動しても第２吸気口３１からの外気の吸気は抑制され、ほぼ吸気されない状態となる。従って、通常状態においては、第１吸気口３０から外気を吸気することになる。
【００５８】
通常状態において、第１冷却ファン２２および第２冷却ファン２３が駆動して、第１フィルタ４０および第１吸気口３０を介して外気を吸気した場合、吸気した外気は、ダクト７０の開口部７１から流入し、ダクト７０の内部を流通する。そして、分岐されて、それぞれの開口部７３，７４から、対応する第１冷却ファン２２および第２冷却ファン２３に、流通した外気（空気）が流入する。
【００５９】
第１冷却ファン２２は、開口部７３から流入した空気を、液晶パネル５２および液晶パネル５２近傍に設置される偏光板に向けて吐出する。それにより、光源ランプ５１から射出された光束により発生する液晶パネル５２や偏光板の熱を冷却する。また、第２冷却ファン２３は、開口部７４から流入した空気を、光源ランプ５１に向けて吐出する。この動作により、光源ランプ５１の発光により発生した熱を冷却する。なお、図２には、外気（空気）の流れを矢印で模式的に示している。
【００６０】
また、第１冷却ファン２２および第２冷却ファン２３により、液晶パネル５２、偏光板、光源ランプ５１の発生する熱を伝熱されて温まった空気は、排気ファン２４により、排気口３２を介して、プロジェクタ１の外部に排気される。なお、排気ファン２４は、併せて、光学系５０を構成する他の光学構成部（図示省略）で発生した熱により温まった空気や、回路構成部（図示省略）から発生した熱により温まった空気を、排気口３２を介して、プロジェクタ１の外部に排気している。このような一連の動作により、筐体５内部の冷却が行なわれる。また、この動作により、冷却制御部２０は、光源ランプ温度および液晶パネル温度が適正な温度範囲内となるように制御している。
【００６１】
次に、図３を参照して、応急状態での開閉蓋６０の動作、および第１冷却ファン２２、第２冷却ファン２３の動作を説明する。
応急状態においては、開閉蓋６０は、開閉駆動部２５により、支軸６１を中心に回転（開放動作）し、第２吸気口３１を開放する。詳細には、本実施形態では、開閉蓋６０は、支軸６１を中心に、筐体５内部側に略９０度回転して停止する。従って、応急状態においては、冷却ファン駆動部２１により、第１冷却ファン２２および第２冷却ファン２３が駆動した場合、目詰まりを起こした第１吸気口３０からの外気の吸気は僅かとなり、主に第２吸気口３１から外気を吸気することになる。
【００６２】
応急状態において、第１冷却ファン２２および第２冷却ファン２３が駆動して、第２フィルタ４１および第２吸気口３１を介して外気を吸気した場合、吸気した外気は、ダクト７０の開口部７２から流入し、ダクト７０の内部を流通する。そして、分岐されて、それぞれの開口部７３，７４から、対応する第１冷却ファン２２および第２冷却ファン２３に、流通した外気（空気）が流入する。なお、第１フィルタ４０の目詰まりの状態にもよるが、第１フィルタ４０および第１吸気口３０を介しても外気は吸気する。また、吸気した場合は、ダクト７０の開口部７１から流入し、開口部７２から流入した外気と合流してダクト７０内を流通する。
【００６３】
なお、第１冷却ファン２２および第２冷却ファン２３は、対応する開口部７３，７４から流入した空気を上述したと同様に、液晶パネル５２と液晶パネル５２近傍に設置される偏光板、および光源ランプ５１に向けて吐出し、発生する熱を冷却する。また、上述したと同様に、伝熱されて温められた空気は、排気ファン２４により、排気口３２を介して、プロジェクタ１の外部に排気される。なお、図３には、第２吸気口３１から吸気した外気（空気）の流れを矢印で模式的に示している。このような一連の動作により、筐体５内部の冷却が応急的に行なわれる。なお、応急状態において、冷却制御部２０は、第１冷却ファン２２、第２冷却ファン２３、および排気ファン２４を最大電圧で駆動する。
【００６４】
上述した実施形態によれば以下の効果が得られる。
（１）本実施形態のプロジェクタ１によると、第１吸気口３０の有する第１フィルタ４０の目詰まりを、検出部としての内部温度検出部２７および外部温度検出部２６により検出した場合、冷却制御部２０は、駆動部としての開閉駆動部２５を駆動させて開閉部としての開閉蓋６０を開放動作させることにより、第２吸気口３１を開放する。そして、冷却ファンとしての第１冷却ファン２２と第２冷却ファン２３は、通常状態において使用する第１吸気口３０とは別に備える第２吸気口３１を介して、筐体５外部から空気を吸気して吐出することで、筐体５内部に収容する光学部材（液晶パネル５２、液晶パネル５２近傍に設置される偏光板、光源ランプ５１など）を冷却する。これにより、通常状態では第１吸気口３０を使用して光学部材の冷却を行ない、第１フィルタ４０が目詰まりを起こした場合には、第２吸気口３１を使用して光学部材の応急的な冷却を行なうことで、光源ランプ５１を強制的に消灯させる前に、応急的に光源ランプ５１の点灯を維持することができるため、プロジェクタ１を応急的に使用することができる。従って、プロジェクタ１の利便性を向上させることができる。
【００６５】
（２）本実施形態のプロジェクタ１によると、第２吸気口３１は、塵埃の筐体５内部への進入を抑制する第２フィルタ４１を有しているため、応急状態において、第２吸気口３１を介して筐体５外部から空気を吸気する際、筐体５内部に設置される光学部材などへの塵埃の付着などを低減することができる。
【００６６】
（３）本実施形態のプロジェクタ１によると、検出部は、サーミスタで構成される、外部温度検出部２６と内部温度検出部２７とを有しており、冷却制御部２０は、外部温度検出部２６で検出された外部温度と、内部温度検出部２７で検出された内部温度との差が所定値以上となったと判断した場合に、第１フィルタ４０の目詰まりとして検出する。これにより、目詰まりを検出する検出部を簡易に構成することができる。
【００６７】
（４）本実施形態のプロジェクタ１によると、開閉駆動部２５は、モータを有して構成されるため、簡易な構成で駆動部を構成できる。
【００６８】
（５）本実施形態のプロジェクタ１によると、ダクト７０が、第１吸気口３０および第２吸気口３１と、冷却ファン（第１冷却ファン２２および第２冷却ファン２３）との間に設置され、吸気した空気（外気）を流通している。従って、吸気した空気の損失を抑制して冷却ファン（第１冷却ファン２２および第２冷却ファン２３）に効率的に流通することができ、筐体５内部に収容する光学部材（液晶パネル５２、液晶パネル５２近傍に設置される偏光板、光源ランプ５１など）を効率的に冷却することができる。
【００６９】
（６）本実施形態のプロジェクタ１によると、表示部としてのインジケータ部２８を有しており、また、インジケータ部２８は、ＬＥＤ素子で構成されている。そして、冷却制御部２０は、第１フィルタ４０の目詰まりを検出した場合に、ＬＥＤ素子を所定の点灯パターンで点灯させることにより、目詰まりであることを表示させる。これにより、光源ランプ５１を強制的に消灯させる前に、応急的に光源ランプ５１の点灯を維持してプロジェクタ１を使用させ、その使用期間中において、目詰まりであることを効果的に使用者に知らせることができる。それにより、使用者に、プロジェクタ１の使用を自主的に中止させ、第１フィルタ４０の目詰まりを解決（第１フィルタ４０の掃除や第１フィルタ４０の交換）させることを促すことができる。
【００７０】
（７）本実施形態のプロジェクタ１によると、応急状態となった場合、制御部１０が、ＯＳＤ処理部１５に指示して、応急状態である旨の図形またはテキストを、投写している光学像に重畳させて投写させるため、目詰まりであることを効果的に使用者に知らせることができる。これにより、光源ランプ５１を強制的に消灯させる前に、応急的に光源ランプ５１の点灯を維持してプロジェクタ１を使用させ、その使用期間中において、目詰まりであることを効果的に使用者に知らせることができる。それにより、使用者に、プロジェクタ１の使用を自主的に中止させ、第１フィルタ４０の目詰まりを解決（第１フィルタ４０の掃除や第１フィルタ４０の交換）させることを促すことができる。
（第２実施形態）
【００７１】
図４は、第２実施形態に係るプロジェクタの回路系および光学系のブロック図である。図４を参照して、本実施形態のプロジェクタ２の回路系および光学系５０の、構成および動作を説明する。
【００７２】
本実施形態のプロジェクタ２は、第１実施形態のプロジェクタ１の回路系および光学系５０と比較した場合、第１フィルタ４０の目詰まりを検出する検出部として、風量検出部２９を用いることが異なっている。そして、第１実施形態のプロジェクタ１では、外部温度検出部２６を用いていたが、本実施形態では、用いない構成としている。その他の構成に関しては、第１実施形態と同様に構成されるため、同様の構成には、同様の符号を付記している。従って、以下では、異なる構成による動作の違いを主に説明する。
【００７３】
プロジェクタ２は、第１フィルタ４０の目詰まりを検出する検出部として、風量検出部２９を用いている。風量検出部２９は、風量センサで構成されている。そして、風量検出部２９は、ダクト７０の内部で、開口部７１（図２参照）の近傍に設置されている。これにより、第１吸気口３０の近傍で、第１フィルタ４０と第１吸気口３０を介して流入する外気の風量（流速）を検出する。
【００７４】
冷却制御部２０は、内部温度検出部２７で検出された光源ランプ温度および液晶パネル温度が、適正な温度範囲内となるように制御する。詳細には、冷却制御部２０は、初期的に設定される適正な温度範囲より高くなったと判断した場合には、冷却ファン駆動部２１を駆動し、対応する第１冷却ファン２２または第２冷却ファン２３の駆動電圧を上げる制御を行ない、高くなった光源ランプ温度または液晶パネル温度を適正な温度範囲内に入れる制御を行なう。
【００７５】
また、冷却制御部２０は、上記制御を行なっても、光源ランプ温度または液晶パネル温度が適正な温度範囲内とならず、風量検出部２９で検出する外気（空気）の風量（流速）が所定値以下となったと判断した場合、開閉駆動部２５を駆動し、開閉蓋６０を開放動作させ、第２吸気口３１を開放させる制御を行なう。なお、この制御を行なう状態に移行した場合、これ以降の状態を、第１実施形態と同様に、本実施形態でも応急状態と呼称する。なお、本実施形態では、風量検出部２９で検出する外気（空気）の風量（流速）が所定値以下となった場合、第１フィルタ４０の目詰まりと判断している。
【００７６】
なお、冷却制御部２０が光源ランプ温度および液晶パネル温度が適正な温度範囲内であると判断している状態である通常状態と、上記応急状態と、において、冷却制御部２０の制御や、その制御による開閉蓋６０の動作や、ダクト７０内の外気の流通の仕方などは、第１実施形態と同様となるため、説明は省略する。
【００７７】
また、応急状態において、冷却制御部２０は、第１実施形態と同様に制御を行ない、冷却制御部２０の指示により、冷却ファン駆動部２１は、第１冷却ファン２２、第２冷却ファン２３、および排気ファン２４を最大電圧で駆動する。また、応急状態に移行した時点から、設定される所定時間を経過した場合に、制御部１０は、光源ランプ５１を消灯して応急状態を終了させる。その後は、プロジェクタ２は、サブ電源（図示省略）により動作し、次の信号入力を待つ状態（いわゆるスタンバイ状態）に移行する。
【００７８】
また、表示部としてのインジケータ部２８は、第１実施形態と同様に、冷却制御部２０の指示により、目詰まりとなったことを、ＬＥＤ素子を所定の点灯パターンに基づいて点灯させることにより表示する。また、制御部１０が、第１実施形態と同様に、ＯＳＤ処理部１５に指示して、応急状態である旨の図形またはテキストを投写している光学像に重畳させて投写させる。
【００７９】
上述した実施形態によれば、第１実施形態と同様の構成部においては同様の効果を奏することができ、また、異なる構成部においては以下の効果が得られる。
（１）本実施形態のプロジェクタ２によると、第１吸気口３０の有する第１フィルタ４０の目詰まりを、検出部としての風量検出部２９により検出した場合、冷却制御部２０は、駆動部としての開閉駆動部２５を駆動させて、開閉部としての開閉蓋６０を開放動作させることにより、第２吸気口３１を開放する。そして、冷却ファンとしての第１冷却ファン２２と第２冷却ファン２３は、通常状態において使用する第１吸気口３０とは別に備える第２吸気口３１を介して、筐体５外部から空気を吸気して吐出することで、筐体５内部に収容する光学部材（液晶パネル５２、液晶パネル５２近傍に設置される偏光板、光源ランプ５１など）を冷却する。これにより、通常状態では第１吸気口３０を使用して光学部材の冷却を行ない、第１フィルタ４０が目詰まりを起こした場合には、第２吸気口３１を使用して光学部材の応急的な冷却を行なうことで、光源ランプ５１を強制的に消灯させる前に、応急的に光源ランプ５１の点灯を維持することができるため、プロジェクタ２を応急的に使用することができる。従って、プロジェクタ２の利便性を向上させることができる。
【００８０】
（２）本実施形態のプロジェクタ２によると、検出部は、風量センサで構成される風量検出部２９を有しており、冷却制御部２０は、風量検出部２９で検出された風量が、所定値以下となった場合に、第１フィルタ４０の目詰まりとして検出する。これにより、目詰まりを検出する検出部を簡易に構成することができる。
【００８１】
なお、上述した実施形態に限定されず、種々の変更や改良などを加えて実施することが可能である。変形例を以下に述べる。
（変形例１）前記実施形態のプロジェクタ１，２では、ダクト７０を用いているが、ダクト７０を用いることには限定されない。この場合、プロジェクタ２において、風量検出部２９を設置する場合、第１吸気口３０から吸気する空気の流速を検出できる場所に設置することが必要となる。
【００８２】
（変形例２）前記実施形態のプロジェクタ１，２では、第１吸気口３０および第２吸気口３１を筐体５の側面に設置しているが、確実に外気を取り入れることができる場所であればよく、第１吸気口３０および第２吸気口３１の設置位置は、筐体５外面で適宜決めることができる。
【００８３】
（変形例３）前記実施形態のプロジェクタ１，２では、開閉駆動部２５は、モータを用いて構成されているが、ソレノイドを用いて構成してもよい。また、開閉駆動部２５は、モータを用いて、開閉蓋６０を支軸６１を中心に回動させて、第２吸気口３１に対して開閉動作を行なわせているが、これに限らず、開閉蓋６０をスライド動作させることで、第２吸気口３１に対して開閉動作を行なわせてもよい。
【００８４】
（変形例４）前記実施形態のプロジェクタ１，２では、第１冷却ファン２２と第２冷却ファン２３の２つの冷却ファンを用いているが、これに限定されず、１つの冷却ファンや３つ以上の冷却ファンを用いることでもよい。
【００８５】
（変形例５）前記実施形態のプロジェクタ１，２の光学系５０において、光変調装置としての液晶パネル５２は、透過型の液晶パネル５２を用いているが、反射型の液晶パネルなど、反射型の光変調装置を用いることも可能である。
【００８６】
（変形例６）前記実施形態のプロジェクタ１，２の光学系５０において、光変調装置としての液晶パネル５２を用いている。しかし、これに限らず、一般に、入射光を画像情報に応じて変調するものであればよく、マイクロミラー型光変調装置などを用いてもよい。なお、マイクロミラー型光変調装置としては、例えば、ＤＭＤ（Digital Micromirror Device）を用いることができる。
【００８７】
（変形例７）前記実施形態のプロジェクタ１，２の光学系５０において、光変調装置としての液晶パネル５２は、赤色光、緑色光、および青色光に対応する３つの液晶パネル５２を用いるいわゆる３板方式を採用しているが、これに限らず、単板方式を採用してもよい。また、コントラストを向上するための液晶パネルを追加して採用してもよい。
【００８８】
（変形例８）前記実施形態のプロジェクタ１，２は、フロントタイプのプロジェクタとして適用しているが、投写対象面としてのスクリーンを一体で有するリアタイプのプロジェクタにも適用できる。
【００８９】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量・設置位置などにおいて、当業者が様々な変形（変更ならびに改良）を加えることができるものである。従って、詳細な構成部材の形状・材質・数量・設置位置などにおいて、当業者が様々な変形を加えることにより実施する場合も本発明に含まれるものである。
【図面の簡単な説明】
【００９０】
【図１】第１実施形態に係るプロジェクタの回路系および光学系のブロック図。
【図２】開閉部が第２吸気口を閉塞している状態を示す概略図。
【図３】開閉部が第２吸気口を開放している状態を示す概略図。
【図４】第２実施形態に係るプロジェクタの回路系および光学系のブロック図。
【符号の説明】
【００９１】
１，２…プロジェクタ、５…筐体、１０…制御部、１５…ＯＳＤ処理部、１６…液晶パネル駆動部、１７…ランプ駆動部、２０…冷却制御部、２１…冷却ファン駆動部、２２…第１冷却ファン、２３…第２冷却ファン、２４…排気ファン、２５…開閉駆動部、２６…外部温度検出部、２７…内部温度検出部、２８…インジケータ部、２９…風量検出部、３０…第１吸気口、３１…第２吸気口、３２…排気口、４０…第１フィルタ、４１…第２フィルタ、５０…光学系、５１…光源ランプ、５２…液晶パネル、５３…投写レンズ、６０…開閉蓋、６１…支軸、７０…ダクト、５００…スクリーン。
【図１】
2009192878.tif 000003
【図２】
2009192878.tif 000004
【図３】
2009192878.tif 000005
【図４】
2009192878.tif 000006